(57)【要約】【課題】複数の壁板が鎧張りされた壁構造の壁面に機能を付与することができる壁構造を提供する。【解決手段】壁構造１００は、上下に隣接する複数の壁板２を備える。複数の壁板２のうち、上側の壁板２の一部が下側の壁板２の表側に重ねられる。上側の壁板２と下側の壁板２との重なり部分で固定される固定部３１と、重なり部分の下側にある機能部３２と、を有する機能部材３を備える。機能部材３は固定部３１が上側の壁板２と下側の壁板２との重なり部分で固定されるため、壁面１０２の段差の影響を少なくして機能部材３を配置することができる。【選択図】図１
2020084665.tif 000002
【特許請求の範囲】
【請求項１】
上下に隣接する複数の壁板を備え、前記複数の壁板のうち、上側の壁板の一部が下側の壁板の表側に重ねられる壁構造であって、
前記上側の壁板と前記下側の壁板との重なり部分で固定される固定部と、前記重なり部分の下側に位置する機能部と、を有する機能部材を備える、
壁構造。
【請求項２】
請求項１において、
前記固定部が前記下側の壁板を固定するための固定具で固定される、
壁構造。
【請求項３】
請求項２において、
前記下側の壁板は、前記固定具を通す孔部を有する、
壁構造。
【請求項４】
請求項１ないし３のいずれか１項において、
前記機能部が棚板である、
壁構造。
【請求項５】
上下に隣接する複数の壁板のうち、上側の壁板の一部が下側の壁板の表側に重ねられる壁構造に使用される機能部材であって、
前記上側の壁板と前記下側の壁板との重なり部分で固定される固定部と、
前記重なり部分の下側に配置される機能部と、を有する、
機能部材。
【発明の詳細な説明】
【技術分野】
【０００１】
本発明は、壁構造及び機能部材に関する。詳細には、複数の壁板を備える壁構造及び機能部材に関する。
【背景技術】
【０００２】
特許文献１には、複数の壁板が鎧張りされた壁構造（鎧張り状の壁構造）が提案されている。この壁構造は、複数の壁板を上下に重ね合わせ、重ね合わせた部分に釘等の固定具を打ち込み、壁下地に固定している。
【０００３】
このような壁構造は、多くの場合、外壁を形成するために使用されているので、その壁面に他の部材を配置して機能を付与することはほとんど行われていなかった。また、この壁構造の壁面には、隣り合う上側の壁板と下側の壁板との境界付近で段差が生じるため、他の部材を安定して配置することが難しい。したがって、このような段差が原因で、複数の壁板が鎧張りされた壁構造の壁面に他の部材を配置して機能を付与することはほとんど行われていなかった。
【先行技術文献】
【特許文献】
【０００４】
【特許文献１】特開２０１５−８６５５３号公報
【発明の概要】
【発明が解決しようとする課題】
【０００５】
本発明は、上記事由に鑑みてなされており、複数の壁板が鎧張りされた壁構造の壁面に機能を付与することができる機能部材及びこれを備えた壁構造を提供することを目的とする。
【課題を解決するための手段】
【０００６】
本発明の一態様に係る壁構造は、上下に隣接する複数の壁板を備え、前記複数の壁板のうち、上側の壁板の一部が下側の壁板の表側に重ねられる壁構造である。前記上側の壁板と前記下側の壁板との重なり部分で固定される固定部と、前記重なり部分の下側にある機能部と、を有する機能部材を備える。
【０００７】
本発明の一態様に係る機能部材は、上下に隣接する複数の壁板のうち、上側の壁板の一部が下側の壁板の表側に重ねられる壁構造に使用される機能部材である。前記上側の壁板と前記下側の壁板との重なり部分で固定される固定部と、前記重なり部分の下側に配置される機能部と、を有する。
【発明の効果】
【０００８】
本発明の壁構造によれば、機能部材は固定部が上側の壁板と下側の壁板との重なり部分で固定されるため、壁面の段差の影響を少なくして機能部材を配置することができ、複数の壁板が鎧張りされた壁構造の壁面に機能部材による機能を付与することができる。
【０００９】
本発明の機能部材によれば、固定部が上側の壁板と下側の壁板との重なり部分で固定されるため、壁面の段差の影響を少なくして配置することができ、複数の壁板が鎧張りされた壁構造の壁面に機能部による機能を付与することができる。
【図面の簡単な説明】
【００１０】
【図１】図１Ａは、本発明に係る壁構造の一実施形態を示す断面図である。図１Ｂは、同上の正面図である。
【図２】図２Ａ〜図２Ｃは、本発明に係る壁構造の一実施形態の施工手順を示す斜視図である。
【図３】図３は、本発明に係る機能部材の一実施形態を示す斜視図である。
【図４】図４Ａ及び図４Ｂは、本発明に係る壁構造の一実施形態の施工手順を示す断面図である。
【発明を実施するための形態】
【００１１】
（実施形態）
図１Ａ及び図１Ｂに本実施形態の壁構造１００を示す。この壁構造１００は、建物の内壁を示している。すなわち、室内側に向いて形成されている壁の構造である。壁構造１００は複数の壁板２を鎧張りより下地に取り付けた構造である。この壁構造１００は、少なくとも上下方向に並ぶように複数の壁板２が配置されている。以下では、上下に隣接する壁板２のうち、下側の壁板２を下段壁板２１といい、上側の壁板２を上段壁板２２という。下段壁板２１は、正面視において、同じ高さ位置において、左右方向に複数並設されている。また、上段壁板２２についても、同じ高さ位置において、左右方向に複数並設されている。なお、符号１０１は室内の床である。
【００１２】
下地は、建物において壁板２の下地となる部分であり、本実施形態では、壁板２の下地となる壁下地１により構成される。壁下地１は、複数の縦胴縁１１と、複数の縦胴縁１１の室内側の面に取り付けられた木質ボード１２とを備える。複数の縦胴縁１１は、例えば、複数の間柱（図示省略）に固定された構造用面材に、透湿防水シートを介して取り付けられている。木質ボード１２は、例えば合板であり、屋内側の面が鉛直面に略平行である。そして、この木質ボード１２の室内側の面に、複数の壁板２が取り付けられる。なお、縦胴縁１１は、間柱に固定された構造用面材に取り付ける代わりに、間柱や柱に取り付けてもよい。
【００１３】
図２Ａ〜図２Ｃのように、各壁板２は、正面視略矩形状に形成された板体により構成されており、長手方向が左右方向に平行である。各壁板２としては、セメントを主成分とする成形材料の硬化物である窯業系サイディングが使用されるが、これに限定されず、各種の材質の壁板２が使用可能である。また各壁板２は、例えば、上下幅４１４ｍｍ、左右長さ９１０ｍｍ、厚み６ｍｍで形成されているが、これに限定されるものではなく、他の大きさの壁板２であってもよい。壁板２の上端面は、左右方向の両端部において、側端面に近付くほど下方に位置するように傾斜している。
【００１４】
各壁板２は、複数の取付孔２３を有している。複数の取付孔２３は、壁板２の上下方向の略中央部において、左右方向に所定の間隔をあけて形成されている。複数の取付孔２３は、壁板２の下辺に平行な仮想直線上に配置されており、つまり、壁板２の下辺に沿う方向に平行に配置されている。各取付孔２３は、壁板２を厚み方向で貫通する孔部（貫通孔）により構成されている。なお、取付孔２３は、半貫通穴により構成されてもよい。半貫通穴とは、壁板２を貫通する貫通孔（図示せず）と、この貫通孔を覆う薄肉部（図示せず）とを備え、製造直後の状態では貫通していない孔である。
【００１５】
壁構造１００は、複数の壁板２が左右方向に並設されていると共に、上下方向にも並設されている。上下方向に隣り合う壁板２は、左右方向にずれており、正面視において、いわゆる千鳥状に配置されている。本実施形態において、上下方向に隣り合う壁板２は、壁板２の左右方向の長さの１／２ずれている。なお、各壁板２には、位置合わせのためのマークが形成されていてもよく、この場合、施工時において壁板２の配置位置がずれにくくなる。
【００１６】
本実施形態の壁構造１００は、機能部材３を備える。機能部材３は壁構造１００に特定の機能を付与する部材である。本実施形態の壁構造１００は、機能部材３として、図３に示すような棚部材３０を備えている。棚部材３０は、壁構造１００の壁面１０２に、物品を載置するための棚の機能を付与することができる。棚部材３０は、例えば、鋼板などの金属板で形成することができるが、これに限らず、プラスチックなどの各種の材質が使用可能である。
【００１７】
機能部材３は固定部３１と機能部３２とを備えている。固定部３１は機能部材３を固定するための部分を有している。機能部３２は機能部材３の主たる機能を発揮する部分である。棚部材３０では、機能部３２は壁板２以外の物品が載置できる棚板の機能を有する部分である。
【００１８】
棚部材３０は固定部３１と機能部３２とがそれぞれ平板に形成されている。また棚部材３０は断面略Ｌ字状に形成されており、固定部３１の下端から前方に向かって機能部３２が突出している。固定部３１と機能部３２との間の劣角の角度は９０°である。固定部３１と機能部３２との左右長さは同じであり、例えば、９１０ｍｍである。すなわち、棚部材３０の左右長さと壁板２の左右長さとは同じである。また固定部３１の上下幅は、例えば、１１０ｍｍにすることができる。また機能部３２の固定部３１からの突出長さは、例えば、１８０ｍｍにすることができる。また棚部材３０の厚みは、例えば、２．３ｍｍにすることができる。
【００１９】
固定部３１は固定孔３３を有している。固定孔３３は固定部３１を壁下地１に固定具５で固定する部分である。固定孔３３は固定部３１を厚み方向で貫通する貫通孔である。固定孔３３は上下方向に沿った長孔に形成されている。固定部３１は複数の固定孔３３を有している。固定部３１は、例えば、８個の固定孔３３を有している。この場合、例えば、４個の固定孔３３を左右方向に一列に並べて形成し、その列の下に４個の固定孔３３を左右方向に一列に並べて形成することができる。左右方向に並ぶ４個の固定孔３３の間隔は、壁板２の取付孔２３の左右方向の間隔と同じである。したがって、壁板２の表側（前側）に固定部３１を位置させると、各取付孔２３の前側に固定孔３３が位置することになる。
【００２０】
次に、本実施形態の壁構造１００の施工方法を説明する。
【００２１】
施工者は、壁下地１の下端部にスタータ４を取り付ける。スタータ４は、壁板２と比べて、上下寸法が短いことを除いて、壁板２と同様に形成される。次に、スタータ４の表側に壁板２を重ねて固定する。この壁板２は下側略半分がスタータ４に重なり、表側から取付孔２３に釘やビスなどの固定具５を差し込んで壁下地１に打ち込むようにして固定される。したがって、壁板２は上端よりも下端のほうが前側に突出するようにやや傾斜して固定される。このようにして複数の壁板２を左右方向に一列に施工した後、次に、複数の別の壁板２をさらに壁下地１の表側に施工する。この場合、先に固定した壁板２の上側略半分の表側に、新たな壁板２の下側略半分を重ねるようにし、新たに重ねた壁板２の表側から取付孔２３に釘やビスなどの固定具５を差し込んで壁下地１に打ち込むようにする。このようにして複数の壁板２を左右方向に一列にさらに施工することによって、複数の壁板２を鎧張りにより固定していく。
【００２２】
棚部材３０を施工するにあたっては、次のようにして行う。まず、図２Ａのように、下段壁板２１となる壁板２を下側の壁板２の表側に配置する。次に、下段壁板２１の表側に棚部材３０を配置する。このとき、棚部材３０の固定部３１に設けた固定孔３３を下段壁板２１の取付孔２３の表側に位置合わせする。このとき、複数の固定孔３３が上下二列に形成されているので、上一列に並ぶ複数の固定孔３３を取付孔２３に位置合わせするか、あるいは、下一列に並ぶ複数の固定孔３３を取付孔２３に位置合わせするかを選択する。これにより、棚部材３０の上下方向の取り付け位置を調整することができる。また各固定孔３３は上下方向に沿った長孔に形成されているので、各固定孔３３の範囲内でも上下方向の取り付け位置を調整することができる。
【００２３】
次に、図２Ｂのように、固定孔３３に表側から釘やビスなどの固定具５を差し込んで壁下地１に打ち込む。この固定具５は固定孔３３及び取付孔２３を通して壁下地１に打ち込まれる。これにより、固定具５で下段壁板２１と棚部材３０との両方を同時に壁下地１に固定することができる。固定具５は全ての取付孔２３及びこれらに位置合わせされた固定孔３３に差し込んでもよいし、一部の取付孔２３及びこれらに位置合わせされた固定孔３３に固定具５を差し込むようにしてもよい。
【００２４】
次に、固定した棚部材３０の表側から上段壁板２２となる壁板２を近づけて、固定部３１の表側に上段壁板２２の下側略半分の部分を配置する。これにより、下段壁板２１の上側略半分と上段壁板２２の下側略半分とが壁板２の厚み方向に重なって重なり部２５が形成される。そして、固定部３１が、上段壁板２２（上側の壁板２）と下段壁板２１（下側の壁板２）との重なり部２５（重なり部分）に位置する。すなわち、壁下地１に固定した棚部材３０の固定部３１が、下段壁板２１の上側略半分と上段壁板２２の下側略半分との間に位置することになる。ここで、固定部３１は下段壁板２１の表面（室内側に向く面）と上段壁板２２の裏面（室外側に向く面）との間に挟まれて位置する。したがって、上段壁板２２が固定部３１の表側に位置し、固定部３１及び固定具５が室内から見えにくくなって、壁面１０２の外観が損なわれにくくなる。
【００２５】
また機能部３２は上段壁板２２又は下段壁板２１の表側に位置する。ここで、機能部３２の基部（固定部３１との境界部分）３０２は重なり部２５を形成する上段壁板２２の下端２２１よりも下側に位置する。機能部３２の基部３０２以外の部分は上段壁板２２の表側に位置していてもよいし、下段壁板２１の表側に位置していてもよい。このようにして複数の棚部材３０を左右方向に配置して施工することができる。
【００２６】
上記のように取り付けられた棚部材３０において、機能部３２の先端部３０１は機能部３２の基部３０２よりも、少し上方に位置する。これにより、機能部３２が固定部３１の下端よりも上方に向いてやや傾いた状態となる。これは、下段壁板２１の表面が垂直に対して傾いており、下段壁板２１の表面に沿って固定部３１を配置するためである。したがって、機能部３２に壁板２以外の物品を載せたときに、この物品が機能部３２の先端部３０１に向かって滑りにくくなったり倒れにくくなったりするので、機能部３２の先端部３０１から落下しにくくなる。なお、機能部３２の上面は水平に対して２°程度傾くようにすることができる。
【００２７】
また機能部３２は、上段壁板２２の位置合わせに使用できる。すなわち、上段壁板２２を施工する際に、上段壁板２２の下端２２１を機能部３２の上面に当てた状態とする。これにより、上段壁板２２の上下方向の位置合わせを行うことができる。また上段壁板２２を固定具５で固定するまでの間、固定した棚部材３０の機能部３２で支持することができ、上段壁板２２の施工作業の軽減を図ることができる。
【００２８】
（変形例）
実施形態は、本発明の様々な実施形態の一つに過ぎない。実施形態は、本発明の目的を達成できれば、設計等に応じて種々の変更が可能である。
【００２９】
上記では、壁構造１００として内壁の場合について説明したが、これに限らず、壁構造１００が外壁であってもよい。
【００３０】
上記では、機能部材３として棚部材３０を使用した場合を説明したが、これに限られない。例えば、機能部材３としては照明装置を使用してもよく、この場合、機能部は光を放つ照明部として形成される。照明部は、例えば、固定部３１の長手方向に沿って形成することができ、この場合、複数のＬＥＤを固定部３１の長手方向に沿って並べて照明部を形成することができる。また機能部３２としては物が引っ掛け可能なフックであってもよい。また機能部３２としては物がスライド移動可能に取り付け可能なレールであってもよい。
【００３１】
上記では、機能部材３の左右方向の寸法が壁板２の左右方向の寸法と同じである場合について説明したが、これに限られない。例えば。機能部材３の左右方向の寸法が壁板２の左右方向の寸法よりも大きく形成することができる。また機能部材３の左右方向の寸法が壁板２の左右方向の寸法よりも小さく形成することも可能である。
【００３２】
上記では、固定部３１が壁下地１に固定具５で固定される場合を説明したが、これに限らず、例えば、固定部３１は下段壁板２１の上端に引っ掛けて固定されてもよい。また上記では、固定部３１は下段壁板２１の取付孔２３を通す固定具５で固定される場合を説明したが、これに限らず、固定部３１は接着剤で上段壁板２２の裏面又は下段壁板２１の表面に接着されていてもよい。
【００３３】
また機能部３２はその全体が重なり部２５の下側に位置していてもよいし、機能部３２の一部のみが重なり部２５の下側に位置していてもよい。例えば、機能部３２を固定部３１の下端から延ばし、上段壁板２２の表側に突出して設けてもよい。すなわち、機能部３２はその一部が重なり部２５の下側に位置していれば、任意の形状である。また一つの固定部３１に複数の機能部３２を設けてもよく、この場合、各機能部３２の機能が同じでもよいし、異なっていてもよい。
【００３４】
（まとめ）
以上説明したように、第１の態様に係る壁構造１００は、上下に隣接する複数の壁板２を備える。複数の壁板２のうち、上側の壁板２の一部が下側の壁板２の表側に重ねられる。上側の壁板２と下側の壁板２との重なり部分で固定される固定部３１と、重なり部分の下側にある機能部３２と、を有する機能部材３を備える。
【００３５】
この態様によれば、機能部材３は固定部３１が上側の壁板２と下側の壁板２との重なり部分で固定されるため、壁面１０２の段差の影響を少なくして機能部材３を配置することができ、複数の壁板が鎧張りされた壁構造の壁面１０２に機能部３２による機能を付与することができる、という利点がある。また、固定部３１が上側の壁板２に隠れるため、美観上優れる。
【００３６】
第２の態様に係る壁構造１００は、第１の態様において、固定部３１が下側の壁板２を固定するための固定具５で固定される。
【００３７】
この態様によれば、固定部３１と下側の壁板２とを同じ固定具５で固定することができ、省施工化及び少部材化を図ることができる、という利点がある。
【００３８】
第３の態様に係る壁構造１００は、第２の態様において、下側の壁板２は、固定具５を通す孔部を有する。
【００３９】
この態様によれば、孔部を通る固定具５により固定部３１と下側の壁板２との位置決めを行うことができ、機能部材３の施工が行いやすくなる、という利点がある。
【００４０】
第４の態様に係る壁構造１００は、第１〜３のいずれか一つの態様において、機能部３２が棚板である。
【００４１】
この態様によれば、複数の壁板が鎧張りされた壁構造の壁面１０２に棚板の機能を付与することができる、という利点がある。
【００４２】
第５の態様に係る機能部材３は、上下に隣接する複数の壁板２のうち、上側の壁板２の一部が下側の壁板２の表側に重ねられる壁構造１００に使用される機能部材３である。上側の壁板２と下側の壁板２との重なり部分で固定される固定部３１と、重なり部分の下側に配置される機能部３２と、を有する。
【００４３】
この態様によれば、機能部材３は固定部３１が上側の壁板２と下側の壁板２との重なり部分で固定することによって、壁面１０２の段差の影響を少なくして機能部材３を配置することができ、複数の壁板が鎧張りされた壁構造の壁面１０２に機能部３２による機能を付与することができる、という利点がある。
【符号の説明】
【００４４】
１００  壁構造
２  壁板
３  機能部材
３１  固定部
３２  機能部
５  固定具
【図１】
2020084665.tif 000003
【図２】
2020084665.tif 000004
【図３】
2020084665.tif 000005
【図４】
2020084665.tif 000006